【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
スケーラブルオーディオビットストリームからオーディオ信号を発生するデコーダにおいて、
−  波形に基づく第１ビットストリーム成分、第２ビットストリーム成分及び第３ビットストリーム成分を有する前記スケーラブルオーディオビットストリームを入力する手段であって、前記波形に基づく第１ビットストリーム成分及び前記第２ビットストリーム成分が前記オーディオ信号の第１表現に対応し、前記波形に基づく第１ビットストリーム成分及び前記第３ビットストリーム成分が前記オーディオ信号の第２表現に対応する手段と、
−  前記波形に基づく第１ビットストリーム成分を復号することにより第１復号信号を発生する第１波形デコーダと、
−  前記第２ビットストリーム成分に応答して前記第１復号信号を修正することにより前記オーディオ信号を発生する第２デコーダ及び前記第３ビットストリーム成分に応答して前記第１復号信号を修正することにより前記オーディオ信号を発生する第３デコーダのうちの少なくとも一方と、
を有するデコーダ。
【請求項２】
請求項１に記載のデコーダにおいて、前記第２ビットストリーム成分が波形に基づくビットストリーム成分であり、前記第２デコーダが波形デコーダであるデコーダ。
【請求項３】
請求項１に記載のデコーダにおいて、前記第３ビットストリーム成分がパラメータに基づくビットストリーム成分であり、前記第３デコーダがパラメトリックデコーダであるデコーダ。
【請求項４】
請求項１に記載のデコーダにおいて、前記第１表現の符号化品質が前記第２表現のものより高いデコーダ。
【請求項５】
請求項１に記載のデコーダにおいて、前記第２デコーダ及び前記第３デコーダの両方を有すると共に、前記スケーラブルオーディオビットストリームの復号のために前記第２デコーダと前記第３デコーダとの間で選択を行う手段を有するデコーダ。
【請求項６】
請求項１に記載のデコーダにおいて、前記第１波形デコーダが先進オーディオ符号化（ＡＡＣ）デコーダであるデコーダ。
【請求項７】
請求項１に記載のデコーダにおいて、前記第１波形デコーダがＭＰＥＧ２のＬIIデコーダであるデコーダ。
【請求項８】
請求項１に記載のデコーダにおいて、前記第３デコーダがパラメトリックステレオ（ＰＳ）デコーダであるデコーダ。
【請求項９】
請求項１に記載のデコーダにおいて、前記第３デコーダがスペクトル帯域複写（ＳＢＲ）デコーダであるデコーダ。
【請求項１０】
請求項１に記載のデコーダにおいて、前記第３デコーダが空間オーディオコーダ（ＳＡＣ）デコーダであるデコーダ。
【請求項１１】
請求項１に記載のデコーダにおいて、前記第２デコーダが無損失スケーラブル規格（Scalable to Lossless：ＳＬＳ）デコーダであるデコーダ。
【請求項１２】
請求項１に記載のデコーダにおいて、前記第２デコーダが先進オーディオ符号化（ＡＡＣ）デコーダであるデコーダ。
【請求項１３】
請求項１に記載のデコーダにおいて、前記第２デコーダがＭＰＥＧ２のＬII多チャンネル拡張デコーダであるデコーダ。
【請求項１４】
請求項１に記載のデコーダにおいて、当該デコーダがＭＰＥＧ４デコーダであるデコーダ。
【請求項１５】
請求項１に記載のデコーダにおいて、前記スケーラブルオーディオビットストリームが前記第１表現に対する前記オーディオ信号のための拡張データを更に含み、当該デコーダが該拡張データに応答して前記オーディオ信号を発生する手段を更に有するデコーダ。
【請求項１６】
請求項１に記載のデコーダにおいて、前記スケーラブルオーディオビットストリームが前記第２表現に対する前記オーディオ信号のための拡張データを更に含み、当該デコーダが該拡張データに応答して前記オーディオ信号を発生する手段を更に有するデコーダ。
【請求項１７】
請求項１に記載のデコーダにおいて、前記スケーラブルオーディオビットストリームが第４ビットストリーム成分を更に含み、当該デコーダが該第４ビットストリーム成分に応答して前記第１復号信号を修正することにより前記オーディオ信号を発生する第４デコーダを有するデコーダ。
【請求項１８】
オーディオ信号をスケーラブルオーディオビットストリームに符号化するエンコーダにおいて、
−  前記オーディオ信号を波形に基づく第１ビットストリーム成分に符号化する第１波形エンコーダと、
−  前記オーディオ信号を符号化して、前記波形に基づく第１ビットストリーム成分のための第１拡張データを有する第２ビットストリーム成分を発生する第２エンコーダであって、前記波形に基づく第１ビットストリーム成分及び該第２ビットストリーム成分が前記オーディオ信号の第１表現に対応する第２エンコーダと、
−  前記オーディオ信号を符号化して、前記波形に基づく第１ビットストリーム成分のための第２拡張データを有する第３ビットストリーム成分を発生する第３エンコーダであって、前記波形に基づく第１ビットストリーム成分及び該第３ビットストリーム成分が前記オーディオ信号の第２表現に対応する第３エンコーダと、
−  前記波形に基づく第１ビットストリーム成分、前記第２ビットストリーム成分及び前記第３ビットストリーム成分を有する前記スケーラブルオーディオビットストリームを発生する手段と、
を有するエンコーダ。
【請求項１９】
スケーラブルオーディオビットストリームからオーディオ信号を発生する方法において、
−  波形に基づく第１ビットストリーム成分、第２ビットストリーム成分及び第３ビットストリーム成分を有する前記スケーラブルオーディオビットストリームを入力するステップであって、前記波形に基づく第１ビットストリーム成分及び前記第２ビットストリーム成分が前記オーディオ信号の第１表現に対応し、前記波形に基づく第１ビットストリーム成分及び前記第３ビットストリーム成分が前記オーディオ信号の第２表現に対応するステップと、
−  前記波形に基づく第１ビットストリーム成分を復号することにより第１復号信号を発生するステップと、
−  前記第２ビットストリーム成分に応答して前記第１復号信号を修正することにより前記オーディオ信号を発生するステップ、及び前記第３ビットストリーム成分に応答して前記第１復号信号を修正することにより前記オーディオ信号を発生するステップのうちの少なくとも一方のステップと、
を有する方法。
【請求項２０】
オーディオ信号をスケーラブルオーディオビットストリームに符号化する方法において、
−  前記オーディオ信号を波形に基づく第１ビットストリーム成分に符号化するステップと、
−  前記オーディオ信号を符号化して、前記波形に基づく第１ビットストリーム成分のための第１拡張データを有する第２ビットストリーム成分を発生するステップであって、前記波形に基づく第１ビットストリーム成分及び該第２ビットストリーム成分が前記オーディオ信号の第１表現に対応するステップと、
−  前記オーディオ信号を符号化して、前記波形に基づく第１ビットストリーム成分のための第２拡張データを有する第３ビットストリーム成分を発生するステップであって、前記波形に基づく第１ビットストリーム成分及び該第３ビットストリーム成分が前記オーディオ信号の第２表現に対応するステップと、
−  前記波形に基づく第１ビットストリーム成分、前記第２ビットストリーム成分及び前記第３ビットストリーム成分を有する前記スケーラブルオーディオビットストリームを発生するステップと、
を有する方法。
【請求項２１】
オーディオ信号用のスケーラブルオーディオビットストリームにおいて、波形に基づく第１ビットストリーム成分と、第２ビットストリーム成分と、第３ビットストリーム成分とを有し、前記波形に基づく第１ビットストリーム成分及び前記第２ビットストリーム成分が前記オーディオ信号の第１表現に対応し、前記波形に基づく第１ビットストリーム成分及び前記第３ビットストリーム成分が前記オーディオ信号の第２表現に対応するスケーラブルオーディオビットストリームが記憶された記憶媒体。
【請求項２２】
スケーラブルオーディオビットストリームを受信する受信機において、
−  波形に基づく第１ビットストリーム成分、第２ビットストリーム成分及び第３ビットストリーム成分を有する前記スケーラブルオーディオビットストリームを受信する手段であって、前記波形に基づく第１ビットストリーム成分及び前記第２ビットストリーム成分が前記オーディオ信号の第１表現に対応し、前記波形に基づく第１ビットストリーム成分及び前記第３ビットストリーム成分が前記オーディオ信号の第２表現に対応する手段と、
−  前記波形に基づく第１ビットストリーム成分を復号することにより第１復号信号を発生する第１波形デコーダと、
−  前記第２ビットストリーム成分に応答して前記第１復号信号を修正することにより前記オーディオ信号を発生する第２デコーダ及び前記第３ビットストリーム成分に応答して前記第１復号信号を修正することにより前記オーディオ信号を発生する第３デコーダのうちの少なくとも一方と、
を有する受信機。
【請求項２３】
オーディオ信号をスケーラブルオーディオビットストリームで送信する送信機であって、
−  前記オーディオ信号を波形に基づく第１ビットストリーム成分に符号化する第１波形エンコーダと、
−  前記オーディオ信号を符号化して、前記波形に基づく第１ビットストリーム成分のための第１拡張データを有する第２ビットストリーム成分を発生する第２エンコーダであって、前記波形に基づく第１ビットストリーム成分及び該第２ビットストリーム成分が前記オーディオ信号の第１表現に対応する第２エンコーダと、
−  前記オーディオ信号を符号化して、前記波形に基づく第１ビットストリーム成分のための第２拡張データを有する第３ビットストリーム成分を発生する第３エンコーダであって、前記波形に基づく第１ビットストリーム成分及び該第３ビットストリーム成分が前記オーディオ信号の第２表現に対応する第３エンコーダと、
−  前記波形に基づく第１ビットストリーム成分、前記第２ビットストリーム成分及び前記第３ビットストリーム成分を有する前記スケーラブルオーディオビットストリームを発生する手段と、
−  前記スケーラブルオーディオビットストリームを送信する手段と、
を有する送信機。
【請求項２４】
オーディオ信号を伝送する伝送システムにおいて、
−  前記オーディオ信号を波形に基づく第１ビットストリーム成分に符号化する第１波形エンコーダ、
−  前記オーディオ信号を符号化して、前記波形に基づく第１ビットストリーム成分のための第１拡張データを有する第２ビットストリーム成分を発生する第２エンコーダであって、前記波形に基づく第１ビットストリーム成分及び該第２ビットストリーム成分が前記オーディオ信号の第１表現に対応する第２エンコーダ、
−  前記オーディオ信号を符号化して、前記波形に基づく第１ビットストリーム成分のための第２拡張データを有する第３ビットストリーム成分を発生する第３エンコーダであって、前記波形に基づく第１ビットストリーム成分及び該第３ビットストリーム成分が前記オーディオ信号の第２表現に対応する第３エンコーダ、
−  前記波形に基づく第１ビットストリーム成分、前記第２ビットストリーム成分及び前記第３ビットストリーム成分を有する前記スケーラブルオーディオビットストリームを発生する手段、及び
−  前記スケーラブルオーディオビットストリームを送信する手段、
を有する送信機、並びに
−  前記スケーラブルオーディオビットストリームを受信する手段、
−  前記波形に基づく第１ビットストリーム成分を復号することにより第１復号信号を発生する第１波形デコーダ、及び
−  前記第２ビットストリーム成分に応答して前記第１復号信号を修正することにより前記オーディオ信号を発生する第２デコーダと、前記第３ビットストリーム成分に応答して前記第１復号信号を修正することにより前記オーディオ信号を発生する第３デコーダとのうちの少なくとも一方、
を有する受信機、
を有する伝送システム。
【請求項２５】
スケーラブルオーディオビットストリームからオーディオ信号を受信する方法において、
−  波形に基づく第１ビットストリーム成分、第２ビットストリーム成分及び第３ビットストリーム成分を有する前記スケーラブルオーディオビットストリームを受信するステップであって、前記波形に基づく第１ビットストリーム成分及び前記第２ビットストリーム成分が前記オーディオ信号の第１表現に対応し、前記波形に基づく第１ビットストリーム成分及び前記第３ビットストリーム成分が前記オーディオ信号の第２表現に対応するステップと、
−  前記波形に基づく第１ビットストリーム成分を復号することにより第１復号信号を発生するステップと、
−  前記第２ビットストリーム成分に応答して前記第１復号信号を修正することにより前記オーディオ信号を発生するステップ及び前記第３ビットストリーム成分に応答して前記第１復号信号を修正することにより前記オーディオ信号を発生するステップのうちの少なくとも一方と、
を有する方法。
【請求項２６】
オーディオ信号をスケーラブルオーディオビットストリームで送信する方法において、
−  前記オーディオ信号を波形に基づく第１ビットストリーム成分に符号化するステップと、
−  前記オーディオ信号を符号化して、前記波形に基づく第１ビットストリーム成分のための第１拡張データを有する第２ビットストリーム成分を発生するステップであって、前記波形に基づく第１ビットストリーム成分及び該第２ビットストリーム成分が前記オーディオ信号の第１表現に対応するステップと、
−  前記オーディオ信号を符号化して、前記波形に基づく第１ビットストリーム成分のための第２拡張データを有する第３ビットストリーム成分を発生するステップであって、前記波形に基づく第１ビットストリーム成分及び該第３ビットストリーム成分が前記オーディオ信号の第２表現に対応するステップと、
−  前記波形に基づく第１ビットストリーム成分、前記第２ビットストリーム成分及び前記第３ビットストリーム成分を有する前記スケーラブルオーディオビットストリームを発生するステップと、
−  前記スケーラブルオーディオビットストリームを送信するステップと、
を有する方法。
【請求項２７】
オーディオ信号を送信及び受信する方法において、
−  前記オーディオ信号を波形に基づく第１ビットストリーム成分に符号化するステップと、
−  前記オーディオ信号を符号化して、前記波形に基づく第１ビットストリーム成分のための第１拡張データを有する第２ビットストリーム成分を発生するステップであって、前記波形に基づく第１ビットストリーム成分及び該第２ビットストリーム成分が前記オーディオ信号の第１表現に対応するステップと、
−  前記オーディオ信号を符号化して、前記波形に基づく第１ビットストリーム成分のための第２拡張データを有する第３ビットストリーム成分を発生するステップであって、前記波形に基づく第１ビットストリーム成分及び該第３ビットストリーム成分が前記オーディオ信号の第２表現に対応するステップと、
−  前記波形に基づく第１ビットストリーム成分、前記第２ビットストリーム成分及び前記第３ビットストリーム成分を有する前記スケーラブルオーディオビットストリームを発生するステップと、
−  前記スケーラブルオーディオビットストリームを送信するステップと、
−  前記スケーラブルオーディオビットストリームを受信するステップと、
−  前記波形に基づく第１ビットストリーム成分を復号することにより第１復号信号を発生するステップと、
−  前記第２ビットストリーム成分に応答して前記第１復号信号を修正することにより前記オーディオ信号を発生するステップ及び前記第３ビットストリーム成分に応答して前記第１復号信号を修正することにより前記オーディオ信号を発生するステップのうちの少なくとも一方と、
を有する方法。
【請求項２８】
請求項１９、２０、２５、２６及び２７の何れか一項に記載の方法を実行するためのコンピュータプログラム。
【請求項２９】
請求項１に記載のデコーダを有するオーディオ再生装置。
【請求項３０】
請求項１８に記載のエンコーダを有するオーディオ記録装置。